(57)【要約】【課題】地震等天災や安全で誰でも使用可能な緊急時エネルギー確保の必要性があり、太陽エネルギーを活用した太陽光発電パネルと蓄電システムの組み合わせにより、片手で持ち運びでき、移動可能なシステムの開発が求められる。【解決手段】緊急時太陽光がある限り、特に燃料を必要としない太陽光パネルを採用する。太陽光パネルをスライド式に収納し蓄電池を分割可能にすることにより便利性の高い省スペース軽量化を実現する設計にした。また、複雑な機能を省きユニット形式にしたのでメンテナンスの簡易性能及び安全性の高いシステムとなっている。各装置が収納方式になることにより全体が一つのケースとなり、便利性の高いコンパクト設計、簡易移動設置を可能としたものである。【選択図】図１
2012039812.tif 000002
【特許請求の範囲】
【請求項１】
スライドにより収納が可能な構造の太陽パネルと、スライド式の前記太陽電池パネルを収容可能なケースと展開した状態の前記太陽電池パネルを太陽光の入射方向に対して一番エネルギー効率の高い角度に配置する機構と、前記ケースに着脱可能で前記太陽電池パネルにより充電可能な少なくとも１個の二次電池を有すること、前記太陽パネルによって得たエネルギーを蓄える蓄電池及び変圧器をケースと一体化することを特徴とするアタッシュケース収納太陽パネル蓄電池装置
【発明の詳細な説明】
【技術分野】
【０００１】
本発明は、アタッシュケースの中に収納した太陽光電池パネルを使用に応じて取り出して蓄電池に充電を行い、他の機器に電気を供給し緊急用の電源として、社会の貢献が出来るものである。
【背景技術】
【０００２】
自然災害などのインフラの破壊により、生活に必要なエネルギーであるガスや電気の送電が不可の場合や電源確保が難しい環境条件において、乾電池（低電源）及び発電機等（重量の重い、燃料を必要とする）の代わりとなる軽く丈夫でクリーンなエネルギー確保の必要性が地震国家では必要と考えられている。
また、太陽パネルの収納をスライドで行い、角度調整機、電圧器、蓄電池を一体化することにより、省スペース及び利便性、簡易設置、メンテナンスが簡易であることに合わせた設計が必要とされる。
【先行技術文献】
【特許文献】
【０００３】
【特許文献１】特開平９−１８２３１５
【特許文献２】特開２００４−４０８９６
【発明の概要】
【発明が解決しようとする課題】
【０００４】
地震等天災や安全で誰でも使用可能な緊急時エネルギー確保の必要性があり、太陽エネルギーを活用した太陽光発電パネルと蓄電システムの組み合わせにより、片手で持ち運びでき、移動可能なシステムの開発が求められる。
【課題を解決するための手段】
【０００５】
緊急時太陽光がある限り、特に燃料を必要としない太陽光パネルを採用する。太陽光パネルをスライド式に収納し蓄電池を分割可能にすることにより便利性の高い省スペース軽量化を実現する設計にした。
また、複雑な機能を省きユニット形式にしたのでメンテナンスの簡易性能及び安全性の高いシステムとなっている。
各装置が収納方式になることにより全体が一つのケースとなり、便利性の高いコンパクト設計、簡易移動設置を可能としたものである。
【発明の効果】
【０００６】
この発明の効果は、緊急時のみでなく、日常的に利用することも可能であり、電源確保の難しい山中、浜辺等アウトドアでの利用やマンションのベランダでの使用も可能とする為、コンパクト設計による利便性と省エネで、CO2削減と経済効果が生まれ、普及の拡大を実現させるものである。
【図面の簡単な説明】
【０００７】
【図１】本発明の全体の説明図
【図２】本発明の側面の説明図で移動方向を示したものである。
【図３】本発明の太陽光パネルのスライド部分と角度調整板の説明図
【図４】本発明の蓄電池を兼ねたフレーム構造及び太陽光パネルの角度調整に必要な鋸歯型板を示した図
【図５】本発明の角度調整板を示した図
【図６】本発明の角度調整板と鋸歯型板の組み合せを示した図
【図７】本発明の蓄電池を兼ねたフレームの脱着の構造及び移動方向を示した図
【図８】本発明の二次蓄電池の外観図
【図９】本発明の各部品の収納を示した図
【図１０】本発明の収納された状態の図
【発明を実施するための形態】
【０００８】
この発明の効果は、太陽光電池パネルにして、発電をさせ、電気を蓄電池に蓄電させて、使用されることにより、電源確保の点で場所を選ばず、他燃料等資源を必要としない機能を有しております。
自然災害（地震、津波、台風）による電気の送電ストップ及びガス等インフラが遮断された場合は蓄電された電気を夜間の電力使用又は通信などに対応できます。さらに蓄電方法が太陽光パネルであり、CO2の削減に貢献するものであります。
【実施例１】
【０００９】
スライドフレーム（１）は図６のように第1の太陽光パネル（２）を固定し、第2の太陽光パネル（３）が第1の太陽光パネル（２）の裏側に収納するための部品である。つまり、展開する際は第2の太陽パネル（２）に設置されたスライドパネル取っ手（１０）を図2のaの移動方向へ動かす事によりスライドフレーム（１）に沿って、第2の太陽光パネル（３）は展開される。
また、スライドフレーム（１）は固定された第1の太陽光パネル（２）及び第2の太陽光パネル（３）が太陽光に垂直に当たる位置を固定する為の角度調整板を固定する役割を持つ。
【００１０】
第1の太陽光パネル（２）はスライドフレーム（１）に固定されているパネルである。
【００１１】
第2の太陽光パネル（３）は図１０の収納時には、第1の太陽パネル（１）の下部に収納され、展開時には第1の太陽パネル（１）と並んで展開するパネルである。また、スライドパネル取っ手（１１）と太陽光パネルスライドストッパー（１３）が固定されているパネルである。
【００１２】
角度調整板（４）はスライドフレーム（１）に固定されており、図２のｂのように角度を調整できる機構を持つ。鋸歯型板（９）とかみ合うように設定しており、スライドフレーム（１）に設置された第1の太陽光パネル（２）、第2の太陽光パネル（３）が太陽光に垂直になる状態を固定し支える役割を持つ板である。
【００１３】
第1の蓄電池及びフレーム（５）は蓄電池予備電源（７）とコンセント（８）を設置している蓄電池であり、第1の蓄電池固定金具（２０）及び第2の蓄電池固定金具（２１）により蓄電池固定底板（１４）に固定され、アタッシュケースの側面を構成するフレームである。また、第２の蓄電池と及びフレーム（１１）と第３の蓄電池と変圧器及びフレーム（１２）をつなぐ事により、第１の太陽光パネル（２）と第２の太陽光パネル（３）が太陽光に当たる事により生産された電気エネルギーを蓄える事が出来る。第１の蓄電池及びフレーム（５）は図１０の収納状態及びに図１の展開状態においては蓄電池予備電源（７）やコンセント（８）へ電気エネルギーを供給する事が出来る。
【００１４】
取り付け板（６）は蓄電池固定底板（１４）とバランス安定板（１８）と繋がっており、図９のように収納された各部を守るように折りたたみ、アタッシュケースの形態では、外郭となる部分である。
【００１５】
蓄電池予備電源（７）は、小型の蓄電池で第１の蓄電池及びフレーム（５）に収納する事が出来る。収納すると同時に第１の蓄電池及びフレーム（５）より生産された電気エネルギーを蓄える事が出来る。
【００１６】
コンセント（８）は第１の蓄電池及びフレーム（５）に設置されたコンセントであり、太陽光より生産された電気エネルギーを蓄えている第1の蓄電池及びフレーム（５）と第２の蓄電池と及びフレーム（１１）、第３の蓄電池と変圧器及びフレーム（１２）より電気エネルギーを外部の機器に供給する接続口となる。
【００１７】
鋸歯型板（９）は蓄電池固定底板（１４）に固定されており、角度の変わる角度調整板（４）を支えるように鋸歯型をしている板である。角度調整板（４）を引っ掛ける鋸歯の位置を変えると第１の太陽光パネル（２）及び２の太陽光パネル（３）の角度が変わり、太陽光に対して垂直に当たるように調整する為の板である。
【００１８】
スライドパネル取っ手（１０）は第２の太陽光パネル（３）に固定されたコ型の引手であり、図９の収納された第１の太陽光パネル（２）及び第２の太陽光パネル（３）を図２のｃのように上部へ引き上げるときや、第２の太陽光パネル（３）を第１の太陽光パネル（２）から図２のaの動きで引き出す際使用する取っ手である。
【００１９】
第２の蓄電池と及びフレーム（１１）は第1の蓄電池及びフレーム（５）や第３の蓄電池と変圧器及びフレーム（１２）と接続し、アタッシュケースの側面を構成する蓄電池である。
【００２０】
第３の蓄電池と変圧器及びフレーム（１２）は第２の蓄電池と及びフレーム（１１）と第1の蓄電池及びフレーム（５）でアタッシュケースのフレームの一部であり、またその中に外部電力に使用できるように電圧を調整する機能を持つ蓄電池である。
【００２１】
太陽光パネルスライドストッパー（１３）は第２の太陽光パネル（３）を展開時に第１の太陽光パネル（２）とスライドフレーム（１）から飛び出してしまうのをふさぐ為に第２の太陽光パネル（３）に固定した部品である。
【００２２】
蓄電池フレーム底板（１４）は鋸歯型板（９）と第1の蓄電池金具（２０）及び第2の蓄電池固定具（２１）を固定している底板で、図１０の収納時にはアタッシュケースの側面になる板である。
【００２３】
角度調整板ブラケット（１５）はスライドフレーム（１）に２つ固定されており中は軸受けとなっている。角度調整板（４）の軸を受ける形となり、角度調整板（４）の図２のｂの動きを生み出す部品である。
【００２４】
バランス安定板固定留め金（１６）はバランス安定板（１８）に設置しており、図１０の収納時にバランス安定板（１８）が開かないようにする留め金である。
【００２５】
アタッシュケースの取っ手（１７）は、図１０の収納状態で移動させる際に持ちやすいように、取り付け板（６）に取り外し自由な機構を持たせた取っ手である。
【００２６】
バランス安定板（１８）は図１の展開時に後部へ倒れこまないように支える板であり、図１０の収納時には外郭となる板である。
【００２７】
軸受け（１９）は軸（２２）を受ける為の部品であり、軸（２２）側の第１の蓄電池固定金具（２０）に固定されている。
【００２８】
第１の蓄電池固定金具（２０）は蓄電池フレーム底板（１５）の軸（２２）側に固定されており、第１の蓄電池及びフレーム（５）や第２の蓄電池と及びフレーム（１２）、第３の蓄電池と変圧器及びフレーム（１３）を蓄電池フレーム底板（１５）に固定する為の金具である。また、軸（２２）の接続する軸受け（１９）がついている。
【００２９】
第２の蓄電池固定金具（２１）は蓄電池フレーム底板（１５）の第１の蓄電池固定金具（２０）の設置されていない２隅に固定されており、第１の蓄電池及びフレーム（５）や第２の蓄電池と及びフレーム（１２）、第３の蓄電池と変圧器及びフレーム（１３）を蓄電池フレーム底板（１５）に固定する為の金具である。
【００３０】
軸（２２）は軸受け（２０）に接続されており、図２のｃの動きをする為の軸となる。
【００３１】
図１０の収納状態及び移動形態より図１の展開状態及び使用状態に形態変更をするには、安定した地面に本発明を置き、バランス安定板固定留め金（１６）をはずす。図９に示すようにバランス安定板（１８）及び接続する取り付け板（６）を上部に引き上げ、アタッシュケースを中心に地面に水平になるよう倒す。その際、取り付け板（６）、蓄電池フレーム底板（１４）、バランス安定板（１６）は１枚の板のように固定する事により風や多少の振動に倒れないように設置される。スライドパネル取っ手（１０）を、軸（２２）を中心に図２のｃの方向に上部へ引き上げ、軸に接続している第１の太陽光パネル（２）よりスライドフレーム（１）に沿って、第２の太陽光パネル（３）を図２のaの方向に太陽光パネルスライドストッパー（１２）によって固定するまで引き出す。図６のようにスライドフレーム（１）に固定された角度調整板ブラケット（１５）及びそこに接続している角度調整板（４）を図２のｂの動きで鋸歯型板のくぼみにはめる。その際、スライドフレーム（１）に設置された第1の太陽光パネル（２）、第2の太陽光パネル（３）が太陽光に対してエネルギー変換量の高い角度に合わせて調整する。
【００３２】
図３は本発明の太陽光パネルのスライド部分と角度調整板の説明であるが、符号については、上記において説明しているので、省略する。
【００３３】
図4は本発明の蓄電池を兼ねたフレーム構造及び太陽光パネルの角度調整に必要な鋸歯型板の説明であるが、符号については、上記において説明しているので、省略する。
【００３４】
図５は本発明の角度調整板を示しているが、符号について、上記において説明しているので、省略する。
【００３５】
図６は本発明の角度調整板と鋸歯型板の組み合せを示しているが、上記において説明しているので省略する。
【００３６】
図７は本発明の蓄電池を兼ねたフレームの脱着の構造及び移動方向を示しており、蓄電池フレーム底板（１５）に固定されている蓄電池固定金具（２１）から、第１の蓄電池及びフレーム（５）、第２の蓄電池及びフレーム（１２）、第３の蓄電池と変圧器及びフレーム（１３）が脱着できる構造を示している。また、蓄電池予備電源（８）が第１の蓄電池及びフレーム（５）に収納される事も示している。
【００３７】
本発明の二次蓄電池の外観を示している。
【００３８】
図９は本発明の各部品の収納を示しているが、符号について、上記において説明しているので、省略する。
【００３９】
図１０は本発明の収納された状態を示しているが、符号について、上記において説明しているので、省略する。
【実施例２】
【００４０】
太陽光パネルのサイズ、畜電池等を小さくすることにより、あらゆる必要性に合わせて移動式エコ蓄電池としての使用が可能となる。
【００４１】
外郭及びそれを構成するバッテリー等は一体成型技術を使用する事により、アタッシュケースにこだわらず、色々な形を成形出来る。
【００４２】
スライド構造は段数を増やすことにより、縦方向を５段にし、上部から見た場合正方形になるような形状等場所にあった形状へ変えることができる。
【産業上の利用可能性】
【００４３】
本発明にかかわる太陽光パネル及び蓄電池は、省エネで経済効果もよく自然災害や社会の安全など、インフラ整備のためにも、普及の拡大も必要で産業上の利用可能を有する。
【符号の説明】
【００４４】
１  スライドフレーム
２  第１の太陽光パネル
３  第２の太陽光パネル
４  角度調整板
５  第１の蓄電池及びフレーム
６  取り付け板
７  蓄電池予備電源
８  コンセント
９  鋸歯型板
１０  スライドパネル取っ手太陽光パネルスライドストッパー
１１  第２の蓄電池及びフレーム
１２  第３の蓄電池と変圧器及びフレーム
１３  太陽光パネルスライドストッパー
１４  蓄電池フレーム底板
１５  角度調整板ブラケット
１６  バランス安定板留め金
１７  アタッシュケースの取っ手
１８  バランス安定板
１９  軸受
２０  第１の蓄電池固定金具
２１  第2の蓄電池固定金具
２２  軸
【図１】
2012039812.tif 000003
【図２】
2012039812.tif 000004
【図３】
2012039812.tif 000005
【図４】
2012039812.tif 000006
【図５】
2012039812.tif 000007
【図６】
2012039812.tif 000008
【図７】
2012039812.tif 000009
【図８】
2012039812.tif 000010
【図９】
2012039812.tif 000011
【図１０】
2012039812.tif 000012